【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
支持層（１０１；２０１；３０１；４０１）を含む構造を有し、前記支持層（１０１；２０１；３０１；４０１）が、前記支持層（１０１；２０１；３０１；４０１）を空気が通過することを可能にする少なくとも１つの領域（１０３；２０３；３０３；４０３）を有する不透過性かつ通気性の靴のソール（１００；２００；３００；４００）であって、
前記支持層（１０１；２０１；３０１；４０１）の一方の面の前記少なくとも１つの領域（１０３；２０３；３０３、４０３）のところに接合され、前記領域を通過した前記空気を排出するための貫通開口（１１３；２１３；３１３；４１３）があけられた１つまたは複数の補強要素（１１１；２１１、３１１；４１１）と、
前記支持層（１０１；２０１；３０１、４０１）の前記補強要素（１１１；２１１、３１１；４１１）とは反対側の面の前記少なくとも１つの領域（１０３；２０３；３０３、４０３）の上方に位置する防水性かつ蒸気透過性の材料でできた膜（１１７；２９０、３９０；４１７）と
をさらに含むソール（１００；２００；３００；４００）において、
前記膜は、前記少なくとも１つの領域（１０３；２０３；３０３；４０３）の上方に、空気室（１４０；２８８；３８８；４８８）を画定し、足の移動によってポンピング表面として機能する自由に振動する少なくとも１つの部分を有するために、少なくとも前記少なくとも１つの領域（１０３；２０３；３０３；４０３）の周囲の１つの輪郭（１１５；２１５；３０５）に沿って前記支持層（１０１；２０１；３０１；４０１）に対して密封されており、結果として生じる前記空気室の圧縮および膨張は、前記少なくとも１つの領域（１０３；２０３；３０３；４０３）および前記１つまたは複数の補強要素（１１１；２１１、３１１；４１１）の前記開口（１１３；２１３；３１３；４１３）を通過する空気流を生み出すことができる
ことを特徴とするソール（１００；２００；３００；４００）。
【請求項２】
前記膜（１１７；２９０；３９０；４１７）は、ぴんと張ることなく前記領域（１０３；２０３；３０３）上に位置することを特徴とする請求項１に記載のソール（１００；２００；３００；４００）。
【請求項３】
前記膜（１１７；２９０、３９０；４１７）は、前記輪郭（１１５；２１５；３０５）に沿って、間隔要素（１１５；２１５；３９５；４１５）によって、前記支持層（１０１；２０１；３０１；４０１）に接合されていることを特徴とする請求項１または２に記載のソール（１００；２００；３００；４００）。
【請求項４】
前記間隔要素は、前記少なくとも１つの領域（１０３；２０３）の周囲の輪郭に沿って前記支持層（１０１；２０１）上に取り付けられ、その縁に前記膜（１１７；２９０）が密封されたリム（１５；２１５）であることを特徴とする請求項３に記載のソール（１００；２００）。
【請求項５】
前記空気室（１４０；２８８；３８０）の中に通気性の軟かい要素が収容されていることを特徴とする請求項１から４のいずれか一項に記載のソール（１００；２００；３００）。
【請求項６】
前記支持層（１０１；２０１；３０１）は、撥水性材料（１０２ａ、２０２ａ）でできた中底（１０１；２０１）を含むことを特徴とする請求項１から５のいずれか一項に記載のソール（１００）。
【請求項７】
前記中底（１０１；２０１）は、透過性かつ通気性の布（１０７；２０７）が縁に接合された貫通開口（１０３；２０３）を含むことを特徴とする請求項６に記載のソール（１００）。
【請求項８】
前記支持層は、網目布（３０７）の少なくとも１つの領域（３０３）が露出したままになるように網目布（３０７）の上面に熱可塑性材料（３０２）を射出することによって得られた中底（３０１）を含むことを特徴とする請求項１から５のいずれか一項に記載のソール（３００）。
【請求項９】
前記間隔要素は接着剤層（３９５）であることを特徴とする請求項３から８のいずれか一項に記載のソール（３００）。
【請求項１０】
前記膜（２９０、３９０；４１７）は、中底部分（２９０；３９０）が少なくとも前記領域（２０３；３０３；４０３）の周囲の輪郭に沿って前記支持層（２０１；３０１；４０１）に対して密封された、前記足を受け取るための管状ストッキング（２６０；３６０；４６０）を形成することを特徴とする請求項４から９のいずれか一項に記載のソール（２００；３００；４００）。
【請求項１１】
前記中底部分（２９０）は、少なくとも前記リム（２１５）の縁に沿って、前記支持層（２０１）に対して密封されていることを特徴とする請求項１０に記載のソール（２００）。
【請求項１２】
前記中底部分（３９０）は、少なくとも前記領域（３０３；４０３）の周囲の輪郭（３０５）に沿って配置された接着剤（３９５；４１５）を使用して、前記支持層（３０１；４０１）に対して密封されていることを特徴とする請求項１０に記載のソール（３００；４００）。
【請求項１３】
前記支持層の表面の溝（３０５）は、前記領域（３０３）の周囲の輪郭の外側に前記接着剤（３９５）を限定することを特徴とする請求項１２に記載のソール（３００）。
【請求項１４】
前記支持層（１０１；２０１；３０１）は、前記１つまたは複数の穴のあいた要素（１１１；２１１；３１１）を横方向から取り囲む凹形ゾーン（１９９；２９９；３９９）を有するトレッドソール（１２９；２１２；３１２；４１２）を含むことを特徴とする請求項１から１３のいずれか一項に記載のソール（１００；２００；３００；４００）。
【請求項１５】
前記支持層（１０１；２０１；３０１；４０１）は、前記１つまたは複数の穴のあいた要素（１１１；２１１、３１１；４１１）がその中に収容された穴を有するトレッドソール（１２９；２１２；３１２；４１２）を含むことを特徴とする請求項１から１４のいずれか一項に記載のソール（１００；２００；３００；４００）。
【請求項１６】
前記輪郭（１１５；２１５；３０５）は、前記領域（１０３；２０３；３０３；４０３）の外側の輪郭であることを特徴とする請求項１から１５のいずれか一項に記載のソール（１００；２００；３００；４００）。
【請求項１７】
前記領域（１０３；２０３；３０３；４０３）は、前記領域を空気が通過することを可能にする材料層によって保護されていることを特徴とする請求項１から１６のいずれか一項に記載のソール（１００；２００；３００；４００）。
【請求項１８】
空気の通過を可能にする前記材料層は、前記領域（１０３；２０３；３０３；４０３）を覆っていることを特徴とする請求項１７に記載のソール（１００；２００；３００；４００）。
【請求項１９】
空気の通過を可能にする前記材料層は網目布を含むことを特徴とする請求項１８に記載のソール（１００；２００；３００；４００）。
【請求項２０】
空気の通過を可能にする前記材料層は、防水性かつ蒸気透過性の材料でできた膜を含むことを特徴とする請求項１７または１８に記載のソール（１００；２００；３００；４００）。
【請求項２１】
請求項１から２０のいずれか一項に記載の製造されたソール（１００；２００；３００；４４０）を含むことを特徴とする靴。
【手続補正２】
【補正対象書類名】明細書
【補正対象項目名】０００８
【補正方法】変更
【補正の内容】
【０００８】
これらの解決策は全て固有の欠点を有する。通気性の膜を含むサンドイッチ構造は普通、トレッドを形成するプラスチック材料のオーバーインジェクションによって、靴の残りの部分に固定される。したがって、それ自体非常に繊細であり、溶融プラスチック材料の攻撃的な作用にあまり耐えないこの膜を傷つける危険性がある。他の非常に重要な欠点は、この膜を通した靴の内部からの水分の放出が、自然にしか起こらない可能性があることであり、すなわち、水分が自然発生的に膜を通過しなければならないことである。これは、非常にゆっくりとした自然過程であり、その効率を増大させる強制された過程が有利であろう。
さらに、支持層上に置かれた通気性の膜を有するソールであって、前記支持層が、膜の下の領域に穴があけられており、垂直中空インサートによって補強されているソールが開示されている特許文献６が知られている。この膜は、ソールの同じレベルに載っており、きつく張られていると開示されている。
【手続補正３】
【補正対象書類名】明細書
【補正対象項目名】０００９
【補正方法】変更
【補正の内容】
【０００９】
【特許文献１】国際公開第０４／０２８２８４号パンフレット
【特許文献２】国際公開第０２／３２２４６号パンフレット
【特許文献３】国際公開第９８／５１１７７号パンフレット
【特許文献４】特許ＥＰ１，０８９，６４２
【特許文献５】国際公開第０２／１４３２６号パンフレット
【特許文献６】米国特許出願公開第２００１／００１０１２７号明細書
【特許文献７】欧州特許ＥＰ６９７，９５７
【手続補正４】
【補正対象書類名】明細書
【補正対象項目名】００１１
【補正方法】変更
【補正の内容】
【００１１】
この目的は、請求項１に記載の特徴を有する防水性かつ通気性の靴のソールによって達成される。
【手続補正５】
【補正対象書類名】明細書
【補正対象項目名】００４８
【補正方法】変更
【補正の内容】
【００４８】
ｃ１）本発明の出願人が特許文献７に記載した方法を使用して、網目布３０７の上に熱可塑性材料３０２を射出することによって、台中底３０１（図１８参照）を得る。中底３０１の少なくとも１つの中央窓（または開口）３０３にはオーバーインジェクションが実施されず、このように、オーバーインジェクションが実施されなかった領域では、その下の網目布３０７が露出したままになる（例えば小さないくつかの穴を含む領域または格子の形成を含む解決策も可能である）。明らかに、異なる形状を有する２つ以上の窓を提供することも可能である。